【手続補正書】
【提出日】平成22年2月1日(2010.2.1)
【手続補正１】
【補正対象書類名】特許請求の範囲
【補正対象項目名】全文
【補正方法】変更
【補正の内容】
【特許請求の範囲】
【請求項１】
予め定めた間隙を設けて対向する一対の基板と、
前記一対の基板の互いに対向する内面の一方に形成された導電膜からなる対向電極と、
前記一対の基板の互いに対向する内面の他方にマトリックス状に配列させて設けられた導電膜からなり、前記対向電極と対向する領域により複数の画素を形成する複数の画素電極と、
前記一対の基板の内面それぞれに前記それぞれの電極を覆って設けられた垂直配向膜と、
前記一対の基板間の間隙に封入された負の誘電異方性を有する液晶層と、
前記複数の画素毎に、前記画素電極と前記対向電極の少なくとも一方に設けられ、前記画素内の液晶分子の配向の中心を定めるための前記導電膜の一部を欠落させた欠落部と、
を備えることを特徴とする液晶表示素子。
【請求項２】
前記欠落部は、前記対向電極に形成されていることを特徴とする請求項１に記載の液晶表示素子。
【請求項３】
前記欠落部は、円形に形成されていることを特徴とする請求項１に記載の液晶表示素子。
【請求項４】
前記欠落部は、８μm以上の直径を有する円形に形成されていることを特徴とする請求項３に記載の液晶表示素子。
【請求項５】
前記欠落部は、８μm以上、１２μm以下の直径を有する円形に形成されていることを特徴とする請求項３に記載の液晶表示素子。
【請求項６】
前記欠落部は、１０μmの直径を有する円形に形成されていることを特徴とする請求項３に記載の液晶表示素子。
【請求項７】
前記画素電極は、一辺の長さが５０μm以下の矩形に形成され、
前記液晶層は、３．５〜４．５μmの厚さを有することを特徴とする請求項４に記載の液晶表示素子。
【請求項８】
前記複数の画素電極はそれぞれ、短辺と長辺とを有する矩形形状を有し、前記長辺の長さ方向に、前記短辺と平行に形成された切欠部によって正方形状の複数の電極部に区分された導電膜により形成され、
前記画素電極の前記各電極部と対向電極の少なくとも一方に、前記画素電極の前記各電極部に対応する複数の領域それぞれの中心部に対応させて、前記欠落部が設けられていることを特徴とする請求項１に記載の液晶表示素子。
【請求項９】
前記複数の画素電極はそれぞれ、短辺と長辺とを有する矩形形状に形成された導電膜からなり、
前記画素電極と対向電極の少なくとも一方に、前記画素電極の形状に対応する矩形状画素の短辺と平行な幅方向の中央部に対応させて、前記画素の長辺の方向と平行で、且つ前記画素の長辺方向の両端縁からそれぞれ画素内方向に同じ距離ずつ離れた長さのスリット状の欠落部が設けられていることを特徴とする請求項１に記載の液晶表示素子。
【請求項１０】
前記画素電極は、正方形に形成され、
前記欠落部は、前記正方形状の画素電極により形成される正方形状の各画素の中央に形成されていることを特徴とする請求項１に記載の液晶表示素子。
【請求項１１】
予め定めた間隙を設けて対向する一対の基板と、
前記一対の基板の互いに対向する内面の一方に形成された導電膜からなる対向電極と、
前記一対の基板の互いに対向する内面の他方にマトリックス状に配列させて設けられ、短辺と長辺とを有する矩形形状を有し、前記長辺の長さ方向に、前記短辺と平行に形成された切欠部によって正方形状の複数の電極部に区分された導電膜からなり、前記対向電極と対向する領域により複数の画素を形成する複数の画素電極と、
前記一対の基板の内面それぞれに前記電極を覆って設けられた垂直配向膜と、
前記一対の基板間の間隙に封入された負の誘電異方性を有する液晶層と、
前記複数の画素毎に、前記画素電極の前記各電極部に対応する複数の領域それぞれの中心部に対応させた位置の前記対向電極に設けられ、前記画素内の液晶分子の配向の中心を定めるための前記導電膜の一部を欠落させた欠落部と、
を備えることを特徴とする液晶表示素子。
【請求項１２】
前記欠落部は、８μm以上、１２μm以下の直径を有する円形に形成されていることを特徴とする請求項１１記載の液晶表示素子。
【請求項１３】
前記欠落部は、１０μmの直径を有する円形に形成されていることを特徴とする請求項１１に記載の液晶表示素子。
【請求項１４】
前記画素電極は、前記矩形の短辺の長さが５０μm以下に形成され、前記各画素部は、１辺が５０μmの正方形を形成することを特徴とする請求項１２に記載の液晶表示素子。
【請求項１５】
前記液晶層は、３．５〜４．５μmの厚さを有することを特徴とする請求項１２に記載の液晶表示素子。
【請求項１６】
予め定めた間隙を設けて対向する一対の基板と、
前記一対の基板の互いに対向する内面の一方に形成された導電膜からなる対向電極と、
前記一対の基板の互いに対向する内面の他方にマトリックス状に配列させて設けられ、短辺と長辺とを有する矩形形状の導電膜からなり、前記対向電極と対向する領域により複数の画素を形成する複数の画素電極と、
前記一対の基板の内面それぞれに前記各電極を覆って設けられた垂直配向膜と、
前記一対の基板間の間隙に封入された負の誘電異方性を有する液晶層と、
前記対向電極の前記各画素毎に、前記画素電極の形状に対応する矩形状画素の各縁からの矩形の各辺までの距離が等しい矩形形状に形成された欠落部と、
を備えることを特徴とする液晶表示素子。
【請求項１７】
前記欠落部は、その短辺方向の幅が８μm以上の大きさを持ったスリット状に形成されていることを特徴とする請求項１６に記載の液晶表示素子。
【請求項１８】
前記欠落部は、前記画素電極が前記対向電極に対向する領域によって定義される画素の１つの縁と、この辺に対応する前記欠落部の１つの辺との短辺方向の距離がそれぞれ１５μm以下となる形状に形成されていることを特徴とする請求項１６に記載の液晶表示素子。
【請求項１９】
前記画素電極は、前記矩形の短辺の長さが５０μm以下に形成されていることを特徴とする請求項１８に記載の液晶表示素子。
【請求項２０】
前記液晶層は、３．５〜４．５μmの厚さを有することを特徴とする請求項１８に記載の液晶表示素子。
【手続補正２】
【補正対象書類名】明細書
【補正対象項目名】００１０
【補正方法】変更
【補正の内容】
【００１０】
請求項６に記載の発明は、前記請求項３に記載の液晶表示素子において、前記欠落部は、１０μmの直径を有する円形に形成されていることを特徴とする。
【手続補正３】
【補正対象書類名】明細書
【補正対象項目名】００１２
【補正方法】変更
【補正の内容】
【００１２】
請求項８に記載の発明は、前記請求項１に記載の液晶表示素子において、前記複数の画素電極はそれぞれ、短辺と長辺とを有する矩形形状を有し、前記長辺の長さ方向に、前記短辺と平行に形成された切欠部によって正方形状の複数の電極部に区分された導電膜により形成され、前記画素電極の前記各電極部と対向電極の少なくとも一方に、前記画素電極の前記各電極部に対応する複数の領域それぞれの中心部に対応させて、前記欠落部が設けられていることを特徴とする。
【手続補正４】
【補正対象書類名】明細書
【補正対象項目名】００１３
【補正方法】変更
【補正の内容】
【００１３】
請求項９に記載の発明は、前記請求項１に記載の液晶表示素子において、前記複数の画素電極はそれぞれ、短辺と長辺とを有する矩形形状に形成された導電膜からなり、前記画素電極と対向電極の少なくとも一方に、前記画素電極の形状に対応する矩形状画素の短辺と平行な幅方向の中央部に対応させて、前記画素の長辺の方向と平行で、且つ前記画素の長辺方向の両端縁からそれぞれ画素内方向に同じ距離ずつ離れた長さのスリット状の欠落部が設けられていることを特徴とする。
【手続補正５】
【補正対象書類名】明細書
【補正対象項目名】００１４
【補正方法】変更
【補正の内容】
【００１４】
請求項１０に記載の発明は、前記請求項１に記載の液晶表示素子において、前記画素電極は、正方形に形成され、前記欠落部は、前記正方形状の画素電極により形成される正方形状の各画素の中央に形成されていることを特徴とする。
【手続補正６】
【補正対象書類名】明細書
【補正対象項目名】００１５
【補正方法】変更
【補正の内容】
【００１５】
この発明の請求項１１に記載の液晶表示素子は、
予め定めた間隙を設けて対向する一対の基板と、
前記一対の基板の互いに対向する内面の一方に形成された導電膜からなる対向電極と、
前記一対の基板の互いに対向する内面の他方にマトリックス状に配列させて設けられ、短辺と長辺とを有する矩形形状を有し、前記長辺の長さ方向に、前記短辺と平行に形成された切欠部によって正方形状の複数の電極部に区分された導電膜からなり、前記対向電極と対向する領域により複数の画素を形成する複数の画素電極と、
前記一対の基板の内面それぞれに前記電極を覆って設けられた垂直配向膜と、
前記一対の基板間の間隙に封入された負の誘電異方性を有する液晶層と、
前記複数の画素毎に、前記画素電極の前記各電極部に対応する複数の領域それぞれの実質的な中心部に対応させた位置の前記対向電極に設けられ、前記画素内の液晶分子の配向の中心を定めるための前記導電膜の一部を欠落させた欠落部と、
を備えることを特徴とする。
【手続補正７】
【補正対象書類名】明細書
【補正対象項目名】００１７
【補正方法】変更
【補正の内容】
【００１７】
請求項１３に記載の発明は、前記請求項１１に記載の液晶表示素子において、前記欠落部は、１０μmの直径を有する円形に形成されていることを特徴とする。
【手続補正８】
【補正対象書類名】明細書
【補正対象項目名】００１８
【補正方法】変更
【補正の内容】
【００１８】
請求項１４に記載の発明は、前記請求項１２に記載の液晶表示素子において、前記画素電極は、前記矩形の短辺の長さが５０μm以下に形成され、前記各画素部は、１辺が５０μmの正方形を形成することを特徴とする。
【手続補正９】
【補正対象書類名】明細書
【補正対象項目名】００２０
【補正方法】変更
【補正の内容】
【００２０】
この発明の請求項１６に記載の液晶表示素子は、
予め定めた間隙を設けて対向する一対の基板と、
前記一対の基板の互いに対向する内面の一方に形成された導電膜からなる対向電極と、
前記一対の基板の互いに対向する内面の他方にマトリックス状に配列させて設けられ、短辺と長辺とを有する矩形形状の導電膜からなり、前記対向電極と対向する領域により複数の画素を形成する複数の画素電極と、
前記一対の基板の内面それぞれに前記各電極を覆って設けられた垂直配向膜と、
前記一対の基板間の間隙に封入された負の誘電異方性を有する液晶層と、
前記対向電極の前記各画素毎に、前記画素電極の形状に対応する矩形状画素の各縁からの矩形の各辺までの距離が等しい矩形形状に形成された欠落部と、
を備えることを特徴とする。
【手続補正１０】
【補正対象書類名】明細書
【補正対象項目名】００２８
【補正方法】変更
【補正の内容】
【００２８】
この液晶表示素子は、図１〜図３に示したように、予め定めた間隙を設けて対向する一対の透明基板１，２と、前記一対の基板１，２の内面にそれぞれ電極３，１７を覆って設けられた垂直配向膜１６，２０と、前記一対の基板１，２間の間隙に封入された負の誘電異方性を有する液晶層２１とからなっている。